【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
第２のフォーマットに従う後の処理のために第１のフォーマットで獲得された画像を処理するシステムであって、
該第１のフォーマットの画像の少なくとも一部を複数のパターンに分割する手段であって、各パターンは、複数のピクセルを備えている、手段と、
該第２の画像フォーマットに適合するように該複数のパターンを再編成する手段であって、該第２の画像フォーマットの画像は、複数のパターンを含み、該第１のフォーマットおよび該第２のフォーマットにおける該パターンは、同じ数の画像ピクセルを有し、該再編成することは、制御に従って、該第１の画像フォーマット内の各パターンの位置から該第２の画像フォーマット内の位置に各パターンをマッピングすることを包含する、手段と、
該第２のフォーマットで画像を処理するプロセッサと、
該制御に従って、該再編成するステップにおいて適用された該パターンの該マッピングを反転することによって、該第１のフォーマットに戻るように該第２のフォーマットにおける画像を変換する手段と
を備えている、システム。
【請求項２】
前記制御は、暗号化キーである、請求項１に記載のシステム。
【請求項３】
前記制御は、ルックアップテーブルである、請求項１に記載のシステム。
【請求項４】
前記第１のフォーマット画像のすべてのパターンは、同じ数のピクセルを有する、請求項１〜３のいずれかに記載のシステム。
【請求項５】
前記画像を複数のパターンに分割する手段は、複数のパターンに分割される画像領域の一部分を選択する手段を備えている、請求項１〜４のいずれかに記載のシステム。
【請求項６】
前記画像の供給源は超広視野レンズであり、前記選択された画像の一部分は活性ピクチャ領域に対応する、請求項５に記載のシステム。
【請求項７】
前記画像を分割する手段は、各パターンに位置基準を割り当てる手段を備えている、請求項１〜６のいずれかに記載のシステム。
【請求項８】
前記パターンを再編成する手段は、前記第２のフォーマット画像における新しい位置に該パターンの前記位置基準をマッピングする手段を備えている、請求項７に記載のシステム。
【請求項９】
前記第１のフォーマットは、前記第２のフォーマットより高い解像度である、請求項１〜８のいずれかに記載のシステム。
【請求項１０】
前記パターンは、前記第２のフォーマットにおいて２つ以上の画像に再編成される、請求項１〜９のいずれかに記載のシステム。
【請求項１１】
前記プロセッサは、前記第２のフォーマットのパターンを前記暗号化キーを含むデータファイルとして処理することにより、前記画像は前記第１のフォーマットに戻るように変換されることが可能である、請求項１〜１０のいずれかに記載のシステム。
【請求項１２】
前記画像は、ビデオ画像である、請求項１〜１１のいずれかに記載のシステム。
【請求項１３】
第１の画像フォーマットの画像を第２のフォーマットにコード化するエンコーダであって、
該第１のフォーマットの画像の少なくとも一部を複数のパターンに分割する手段であって、各パターンは、複数の画像ピクセルを備えている、手段と、
該第２のフォーマットの画像フォーマットに適合するように該複数のパターンを再編成する手段であって、該第２の画像フォーマットの画像は、複数のパターンを含み、該第１のフォーマットおよび該第２のフォーマットにおける該パターンは、同じ数の画像ピクセルを有し、該再編成することは、制御に従って、該第１のフォーマット画像における各パターンの位置から該第２のフォーマット画像における位置に各パターンをマッピングすることを包含する、手段と
を備えている、エンコーダ。
【請求項１４】
請求項１３に記載のエンコーダと共に使用するデコーダであって、
前記制御に従って、前記再編成するステップにおいて適用された前記パターンの前記マッピングを反転することによって、前記第１のフォーマットに戻るように前記第２のフォーマットにおいてコード化された画像を変換する手段を備えている、デコーダ。
【請求項１５】
第２のフォーマットに従う後の処理のために第１のフォーマットで獲得された画像を処理する方法であって、
該第１のフォーマットの画像の少なくとも一部を複数のパターンに分割することであって、各パターンは、複数の画像ピクセルを備えている、ことと、
該第２の画像フォーマットに適合するように該複数のパターンを再編成することであって、該第２の画像フォーマットの画像は、複数のパターンを含み、該第１のフォーマットおよび該第２のフォーマットにおける該パターンは、同じ数の画像ピクセルを有し、該再編成することは、制御に従って、該第１の画像フォーマットにおける各パターンの位置から該第２の画像フォーマットにおける位置に各パターンをマッピングすることを包含する、ことと、
該第２のフォーマットで画像を処理することと、
該制御に従って、該再編成するステップにおいて適用された該パターンの該マッピングを反転することによって、該第１のフォーマットに戻るように画像を変換することと
を包含する、方法。
【手続補正２】
【補正対象書類名】明細書
【補正対象項目名】００２４
【補正方法】変更
【補正の内容】
【００２４】
本発明の実施形態は、例としてのみであるが、添付の図面を参照してここで説明される。
例えば、本発明は以下の項目を提供する。
（項目１）
第２のフォーマットに従う後の処理のために第１のフォーマットで獲得された画像を処理する方法であって、
該第１のフォーマットの画像の少なくとも一部を複数のパターンに分割することであって、各パターンは、複数の画像ピクセルを備えている、ことと、
該第２の画像フォーマットに適合するように該複数のパターンを再編成することであって、該再編成することは、制御に従って、該第１の画像フォーマットにおける各パターンの位置から該第２の画像フォーマットにおける位置に各パターンをマッピングすることを包含する、ことと、
該第２のフォーマットで画像を処理することと、
該制御に従って、該再編成するステップに適用された該パターンの該マッピングを反転することによって、該第１のフォーマットに戻るように画像を変換することと
を包含する、方法。
（項目２）
上記制御は、暗号化キーである、項目１に記載の方法。
（項目３）
上記制御は、ルックアップテーブルである、項目１に記載の方法。
（項目４）
上記第１のフォーマットおよび上記第２のフォーマットの上記パターンは、同じ数のピクセルを有する、項目１、２または３に記載の方法。
（項目５）
上記第１のフォーマット画像のすべてのパターンは、同じ数のピクセルを有する、項目１〜４のいずれかに記載の方法。
（項目６）
上記画像を複数のパターンに分割する上記ステップは、パターンに分割される画像領域の一部分を選択することを包含する、項目１〜５のいずれかに記載の方法。
（項目７）
上記画像源は超広視野レンズであり、上記選択された画像の一部分は活性ピクチャ領域に対応する、項目６に記載の方法。
（項目８）
上記画像を分割するステップは、各パターンに位置基準を割り当てることを包含する、項目１〜７のいずれかに記載の方法。
（項目９）
上記パターン再編成することは、上記第２のフォーマット画像における新しい位置に該パターンの上記位置基準をマッピングすることを包含する、項目８に記載の方法。
（項目１０）
上記第１のフォーマットは、高精細度（ＨＤ）より高い解像度である、項目１〜９のいずれかに記載の方法。
（項目１１）
上記第２のフォーマットは、高精細度（ＨＤ）である、項目１〜１０のいずれかに記載の方法。
（項目１２）
上記第１のフォーマットは、上記第２のフォーマットより高い解像度である、項目１〜１１のいずれかに記載の方法。
（項目１３）
上記パターンは、上記第２のフォーマットにおいて２つ以上の画像に再編成される、項目１〜１２のいずれかに記載の方法。
（項目１４）
上記第２のフォーマットの上記パターンは、上記暗号化キーを含むデータファイルとして処理され、上記画像は上記第１のフォーマットに戻るように変換されることが可能である、項目２に記載の方法。
（項目１５）
上記画像は、ビデオ画像である、項目１〜１４のいずれかに記載の方法。
（項目１６）
第２のフォーマットに従う後の処理のために第１のフォーマットで獲得された画像を処理するシステムであって、
該第１のフォーマットの画像の少なくとも一部を複数のパターンに分割する手段であって、各パターンは、複数の画像ピクセルを備えている、手段と、
該第２の画像フォーマットに適合するように該複数のパターンを再編成する手段であって、該再編成することは、制御に従って、該第１の画像フォーマットにおける各パターンの位置から該第２の画像フォーマットにおける位置に各パターンをマッピングすることを包含する、手段と、
該第２のフォーマットで画像を処理するプロセッサと、
該制御に従って、該再編成するステップに適用された該パターンの該マッピングを反転することによって、該第１のフォーマットに戻るように画像を変換する手段と
を備えている、システム。
（項目１７）
上記制御は、暗号化キーである、項目１６に記載のシステム。
（項目１８）
上記制御は、ルックアップテーブルである、項目１６に記載のシステム。
（項目１９）
上記第１のフォーマットおよび上記第２のフォーマットの上記パターンは、同じ数のピクセルを有する、項目１６、１７または１８に記載のシステム。
（項目２０）
上記第１のフォーマット画像のすべてのパターンは、同じ数のピクセルを有する、項目１６〜１９のいずれかに記載のシステム。
（項目２１）
上記画像を複数のパターンに分割する手段は、パターンに分割される画像領域の一部分を選択する手段を備えている、項目１６〜２０のいずれかに記載のシステム。
（項目２２）
上記画像源は超広視野レンズであり、上記選択された画像の一部分は活性ピクチャ領域に対応する、項目２１に記載のシステム。
（項目２３）
上記画像を分割する手段は、各パターンに位置基準を割り当てる手段を備えている、項目１６〜２２のいずれかに記載のシステム。
（項目２４）
上記パターンを再編成する手段は、上記第２のフォーマット画像における新しい位置に該パターンの上記位置基準をマッピングする手段を備えている、項目２３に記載のシステム。
（項目２５）
上記第１のフォーマットは、高精細度（ＨＤ）より高い解像度である、項目１６〜２４のいずれかに記載のシステム。
（項目２６）
上記第２のフォーマットは、高精細度（ＨＤ）である、項目１６〜２５のいずれかに記載のシステム。
（項目２７）
上記第１のフォーマットは、上記第２のフォーマットより高い解像度である、項目１６〜２６のいずれかに記載のシステム。
（項目２８）
上記パターンは、上記第２のフォーマットにおいて２つ以上の画像に再編成される、項目１６〜２７のいずれかに記載のシステム。
（項目２９）
上記プロセッサは、上記第２のフォーマットのパターンを上記暗号化キーを含むデータファイルとして処理し、上記画像は上記第１のフォーマットに戻るように変換されることが可能である、項目１７に記載のシステム。
（項目３０）
上記画像は、ビデオ画像である、項目１６〜２９のいずれかに記載のシステム。
（項目３１）
第１の画像フォーマットの画像を第２のフォーマットにコード化するエンコーダであって、
該第１のフォーマットの画像の少なくとも一部を複数のパターンに分割する手段であって、各パターンは、複数の画像ピクセルを備えている、手段と、
該第２のフォーマットの画像フォーマットに適合するように該複数のパターンを再編成する手段であって、該再編成することは、制御に従って、該第１のフォーマット画像における各パターンの位置から該第２のフォーマット画像における位置に各パターンをマッピングすることを包含する、手段と
を備えている、エンコーダ。
（項目３２）
項目１６〜３０のいずれかに記載のシステムと共に使用するデコーダであって、
上記制御に従って、上記再編成するステップに適用された上記パターンの上記マッピングを反転することによって、上記第１のフォーマットに戻るように上記第２のフォーマットにおいてコード化された画像を変換する手段を備えている、デコーダ。